(57)【要約】【課題】大型の遊技盤を中枠に配置可能なパチンコ機を提供する。【解決手段】中枠１２には、パチンコ球を貯留する球タンク２６および球タンク２６に接続するタンクレール３４を有する上枠部材２１と、パチンコ球の球流通路を備えた下枠部材２２と、上枠部材２１および下枠部材２２を連結する左右の側枠部材２３,２４とを設ける。また、球通路ユニット５０には、タンクレール３４を球流通路に連通接続する通路形成部５２と、パチンコ球を払出させる球払出装置を着脱自在に配設可能な設置部５５と、通路形成部５２の前側に画成されて遊技盤の裏側に設けた図柄表示装置２０を臨ませ得る空間部とを設け、上枠部材２１および下枠部材２２の間に架設する。そして、遊技盤の裏側を保護する保護カバー１１０の一方の端部を右枠部材２４に開閉可能に枢支し、保護カバー１１０の他方の端部を球通路ユニット５０に固定具１１９により着脱自在に固定する。【選択図】図２
2007130264.tif 000002
【特許請求の範囲】
【請求項１】
外郭をなす外枠に開閉可能に組付けられる中枠に遊技盤が保持されて、該遊技盤の裏側を保護カバーにより保護するよう構成された遊技機であって、
前記中枠は、前記遊技盤の上部を支持し、遊技球を貯留する球タンクおよび球タンクに接続して貯留した遊技球を整列させるタンクレールを有する上枠部材と、前記遊技盤の下部を支持し、遊技球の球流通路を備えた下枠部材と、前記上枠部材および下枠部材を連結する左右の側枠部材とを備え、該左右の側枠部材の何れか一方に、枢支手段を介して前記保護カバーの一方の端部を開閉可能に枢支し、
前記タンクレールの球出口を前記球流通路の球入口に連通接続する球通路と、前記球通路の経路途中に設けられ、該球通路が後端部に連通接続する設置部と、前記設置部に着脱自在に配設され、前記球通路を通過する遊技球を払出させる球払出装置と、前記球通路の前側に画成されて前記遊技盤の裏側に設けた各種遊技部品を臨ませ得る空間部とを有する球通路ユニットを、前記保護カバーを枢支する側枠部材とは反対側の側枠部材側に偏る位置で前記上枠部材および下枠部材の間に架設し、
前記保護カバーを閉成した際に、該保護カバーの他方の端部を前記球通路ユニットに固定手段により着脱自在に固定するよう構成した
ことを特徴とする遊技機。
【請求項２】
前記保護カバーの上端部を、固定手段により前記上枠部材に着脱自在に固定し得るよう構成した請求項１記載の遊技機。
【請求項３】
前記中枠における前記保護カバーを枢支する側枠部材、および保護カバーの一方の端部には、保護カバーの開放を制限する開放制限手段が設けられる請求項１または２記載の遊技機。
【請求項４】
前記保護カバーには、他方の端部から外方へ延出する延出片が設けられて、該保護カバーを閉成した際に、該延出片が球通路ユニットに当接して保護カバーを位置決めし得るよう構成した請求項１〜３の何れかに記載の遊技機。
【発明の詳細な説明】
【技術分野】
【０００１】
本発明は、外郭をなす外枠に対して開閉可能に組付けた中枠に遊技盤を保持するよう構成された遊技機に関するものである。
【背景技術】
【０００２】
例えば遊技機の代表例の一つであるパチンコ機は、遊技店の設置枠台(通称「島」)に縦向きの姿勢で設置した外枠に、前後に開口させた保持部に遊技盤を着脱自在に配設した中枠が開閉および着脱可能に組付けられる。そして、前記中枠の前側に、遊技盤を透視保護するガラス板を組付けた前枠や、上下の球皿、パチンコ球の打出し操作用の打球発射装置等を組付けると共に、中枠の裏側に配設した機構セット盤に、各種球処理部や制御装置等を設けることで遊技に供される。ここで、機構セット盤は、前記中枠と略整合して、該中枠の保持部に対応する位置に前後に開口する窓部が開設された枠状に形成されており、その上部位置に、設置枠台に設けた球供給設備からのパチンコ球が供給される球タンクが組付けられている。また、前記機構セット盤の側部(一般的に、中枠を裏側から見た状態において右側部)には、前記球タンクに貯留したパチンコ球を整列して送出するタンクレールやタンクレールからのパチンコ球を下流の球払出装置へ送出する球通路が前記球処理部として設けられて、該球払出装置の作動により、球タンク内のパチンコ球を貸球や賞球として上下の球皿に払出すよう構成されている。
【０００３】
そして、前記遊技盤に、各種入賞具や、液晶表示部等を具備する遊技装置、ランプ類等の電気的遊技器具(以下、これらを総称して遊技部品と云う)を適宜配置して、所要の遊技内容で遊技を行ない得るよう構成される。ここで、前記遊技部品は、前後方向に嵩張る大型のサイズに形成されることから、該遊技部品が遊技盤の後方へ突出するため、前記球タンクやタンクレール等から落下するパチンコ球が接触する虞がある。そこで、前記機構セット盤の側部(一般的に、中枠を裏側から見た状態において左側部)に、前方に開口する保護カバーを開閉可能に枢支し、該保護カバーを閉成することで前記遊技部品の後方を覆蓋して、前記遊技部品を保護するよう構成したパチンコ機が知られている(例えば、特許文献１)。
【特許文献１】特開平７−１０８０８５号公報
【発明の開示】
【発明が解決しようとする課題】
【０００４】
ところで、近年は前記遊技盤を大型化すると共に、該遊技盤に大型の遊技部品を配設することにより、遊技演出の多様化やインパクト、迫力の向上を図り、遊技の面白みを増大させ得るパチンコ機を求める傾向が強くなっている。ここで、遊技盤の大型化を図るに際しては、前記中枠における保持部の占める領域(すなわち中枠の開口領域)を増大させる必要がある。しかしながら、前述したように、前記機構セット盤の上部位置には、前記球タンクやタンクレールが配置され、機構セット盤の側部には前記球処理部や保護カバーが配置されている。すなわち、前記保持部に設置した遊技盤や遊技盤に設けた遊技部品が前記機構セット盤に干渉しないように、前記中枠に対して保持部を開設する必要があり、保持部としての開口領域を拡げて遊技盤の大型化を図るのは困難であった。
【０００５】
そこで、本発明は、大型の遊技盤を中枠に配置可能な遊技機を提供することを目的とする。
【課題を解決するための手段】
【０００６】
前記課題を克服し、所期の目的を達成するために、本願の請求項１に係る遊技機は、
外郭をなす外枠(11)に開閉可能に組付けられる中枠(12)に遊技盤(18)が保持されて、該遊技盤(18)の裏側を保護カバー(110)により保護するよう構成された遊技機であって、
前記中枠(12)は、前記遊技盤(18)の上部を支持し、遊技盤(S)を貯留する球タンク(26)および球タンク(26)に接続して貯留した遊技盤(S)を整列させるタンクレール(27)を有する上枠部材(21)と、前記遊技盤(18)の下部を支持し、遊技盤(S)の球流通路(44,45)を備えた下枠部材(22)と、前記上枠部材(21)および下枠部材(22)を連結する左右の側枠部材(23,24)とを備え、該左右の側枠部材(23,24)の何れか一方に、枢支手段(24a,24b,116)を介して前記保護カバー(110)の一方の端部を開閉可能に枢支し、
前記タンクレール(27)の球出口を前記球流通路(44,45)の球入口に連通接続する球通路(53,54)と、前記球通路(53,54)の経路途中に設けられ、該球通路(53,54)が後端部に連通接続する設置部(55)と、前記設置部(55)に着脱自在に配設され、前記球通路(53,54)を通過する遊技盤(S)を払出させる球払出装置(101)と、前記球通路(53,54)の前側に画成されて前記遊技盤(18)の裏側に設けた各種遊技部品(20)を臨ませ得る空間部(57)とを有する球通路ユニット(50)を、前記保護カバー(110)を枢支する側枠部材(24)とは反対側の側枠部材(23)側に偏る位置で前記上枠部材(21)および下枠部材(22)の間に架設し、
前記保護カバー(110)を閉成した際に、該保護カバー(110)の他方の端部を前記球通路ユニット(50)に固定手段(52b,119)により着脱自在に固定するよう構成したことを要旨とする。
【０００７】
このように、球タンクおよびタンクレールを、中枠の上枠部材に設けたことで、球タンクやタンクレールを取付けた部材を中枠の上方位置に配置する必要がない。従って、遊技盤を保持する開口領域を中枠の上方位置まで拡げることができ、上下方向に大型化した遊技盤を設けることが可能となる。また、中枠の左右の何れか一方の側枠部材に保護カバーを開閉可能に枢支するよう構成したことで、該保護カバーを取付ける部材を中枠の側部に配置する必要がない。また、球通路ユニットを、上枠部材および下枠部材に架設するようにしたことで、該球通路ユニットを取付ける設置領域を中枠裏側に確保する必要がない。すなわち、遊技盤を保持する開口領域を中枠の側枠部材まで拡げることが可能となるから、左右方向に大型化した遊技盤を設けることができる。
【０００８】
そして、前記保護カバーを設けたことで、遊技盤を大型化した場合であっても、前記保護カバーで遊技盤に配設した遊技部品を保護することが可能である。また、前記保護カバーを中枠の側枠部材に設けるようにしたから、該保護カバーの荷重を側枠部材で支持することができ、前記球通路ユニットに必要以上の負荷が掛かるのを防止できる。更に、前記球通路ユニットに球払出装置を設置する設置部を形成し、該設置部の後端部側に形成した通路形成部の前側に空間部を画成したから、該空間部に各種遊技部品を臨ませることができる。すなわち、前記空間部に遊技部品を臨ませることで、該遊技部品と球通路ユニットとの干渉を防止できる。
【０００９】
請求項２に係る遊技機は、前記保護カバー(110)の上端部を、固定手段(29a,119)により前記上枠部材(21)に着脱自在に固定し得るよう構成したことを要旨とする。
【００１０】
このように、前記保護カバーの上端部を中枠の上枠部材に着脱自在に固定することで、該保護カバーを分散して支持することができるから、前記球通路ユニットに掛かる負荷を軽減し得ると共に、保護カバーの安定性が向上する。
【００１１】
請求項３に係る遊技機は、前記中枠(12)における前記保護カバー(110)を枢支する側枠部材(23,24)、および保護カバー(110)の一方の端部には、保護カバー(110)の開放を所定範囲に制限する開放制限手段(24c,114a)が設けられることを要旨とする。
【００１２】
このように、開放制限手段を設けて保護カバーの開放範囲を所定範囲に制限することで、保護カバーを開放した際に不用意に他部材に接触するのを防止し得る。また、遊技機を遊技店に設置した状態においては、前記保護カバーの開放範囲を制限することで、遊技店内の通路に保護カバーが大きく飛び出すのを防止できる。
【００１３】
請求項４に係る遊技機は、前記保護カバー(110)には、他方の端部から外方へ延出する延出片(120,121)が設けられて、該保護カバー(110)を閉成した際に、該延出片(120,121)が球通路ユニット(50)に当接して保護カバー(110)を位置決めし得るよう構成したことを要旨とする。
【００１４】
このように、前記保護カバーに、他方の端部から外方へ延出する延出片を設け、該延出片が球通路ユニットに当接することで、保護カバーを位置決めし得るよう構成したことで、保護カバーの固定作業を容易に行ない得る。
【発明の効果】
【００１５】
本発明に係る遊技機によれば、中枠に大型の遊技盤を配置して、遊技演出の多様化等を効果的に図り得る。
【発明を実施するための最良の形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から見た状態で指称する。
【実施例】
【００１７】
実施例に係るパチンコ機１０は、図１に示すように、矩形枠状に形成されて図示しない遊技店の設置枠台に固定される外枠１１の開口前面側に、遊技盤１８を保持した中枠１２が開閉および着脱可能に組付けられている。この中枠１２の前面側には、前記中枠１２に保持した遊技盤１８(図９参照)を透視保護するガラス板１３ａ,１３ａ(図９参照)を備えた前枠１３が開閉可能に組付けられると共に、該前枠１３の下方にパチンコ球Ｓ(図１４または図１５参照)を貯留する下球皿１５が開閉可能に組付けられる。なお、実施例では、前記前枠１３の下部位置に、パチンコ球Ｓを貯留する上球皿１４が一体的に組付けられており、前枠１３の開閉に合わせて上球皿１４も一体的に開閉するよう構成されている。また、中枠１２における下球皿１５の右側には、回動操作可能なハンドル部材１６が配設されており、該ハンドル部材１６の回動操作により上球皿１４に貯留したパチンコ球Ｓが遊技盤１８の盤面に向けて打出されるようになっている。また、図２または図３に示すように、前記中枠１２の裏側には、前記遊技盤１８の裏側(具体的には図柄表示装置２０の裏側)を覆う保護カバー１１０が枢支手段２４ａ,２４ｂ,１１６を介して開閉可能に枢支されている。
【００１８】
ここで、図９に示すように、前記遊技盤１８には、裏側に配設した保持手段１９に、各種図柄を変動表示可能な図柄表示部２０ａを有する図柄表示装置(遊技部品)２０が取付部２０ｂを介して配設されると共に、該図柄表示装置２０の図柄表示部２０ａに対応する位置に前後に開口する開口部１８ａが開設されている。但し、前記開口部１８ａには、所要の装飾を施したセンター役物とも称される装飾部材(図示せず)が臨むようになっている。なお、実施例では、前記図柄表示装置２０における前記取付部２０ｂを含む装置全体が、遊技盤１８の左右端部近傍まで延在する大型の液晶表示装置を採用している。また、遊技盤１８の所要位置には、パチンコ球Ｓの入賞により図柄表示装置２０の図柄を変動開始させる始動入賞装置や、大当りの発生時に開放する特別入賞装置(何れも図示せず)等を配設してある。なお、前記遊技盤１８の裏側における前記図柄表示装置２０の下方位置には、スピーカや電飾装置を制御するサブ制御装置１０４が配設されている。前記サブ制御装置１０４には、メイン制御装置１０５(後述)やスピーカ、電飾装置が配線接続されて、該メイン制御装置１０５からの制御信号に基づいてスピーカや電飾装置を制御することで、効果音や発光による演出を行ない得るようになっている。
【００１９】
前記中枠１２は、図５に示すように、上縁をなす上枠部材２１と、下縁をなし、スピーカや打球発射装置等を設置する設置部材として機能する下枠部材２２と、左側縁をなす左枠部材(左の側枠部材)２３と、右側縁をなす右枠部材(右の側枠部材)２４とから構成されて、これら上下左右の枠部材２１,２２,２３,２４を組付けた際に、全体が前記外枠１１の開口領域に整合する大きさに形成される。ここで、実施例では、前記上下の枠部材２１,２２は合成樹脂成形されると共に、左右の枠部材２３,２４はアルミ等の金属材により成形されて、中枠１２全体としての剛性を確保しつつ軽量化が図られている。そして、前記上下左右の枠部材２１,２２,２３,２４を組付けた際に前後に開口する開口領域１２ａ(図５参照)に、前記遊技盤１８を設置するよう構成されている。このとき、上下左右の枠部材２１,２２,２３,２４が、遊技盤１８における上下左右の対応する端面に対して所要のクリアランスを介して対向するようになっている。但し、下枠部材２２の左右両側における上端面の一部に遊技盤１８の下端面が当接して、該遊技盤１８の下方の位置決めがなされる。
【００２０】
また、図４に示すように、前記右枠部材２４の後端部には、上下方向に離間する３箇所に、前記保護カバー１１０を開閉可能に枢支する軸受部(枢支手段)２４ａが形成されている。前記各軸受部２４ａは、前記右枠部材２４の後端部から後方へ向けて略水平に突設された突出片に、上下方向に貫通する軸孔(枢支手段)２４ｂを穿設して形成されて、該軸孔２４ｂに保護カバー１１０の支軸１１６(後述)を挿通させるようになっている。更に、前記右枠部材２４における前記各軸受部２４ａの下方には、後方へ突出する第１位置規制突片(開放制限手段)２４ｃが形成されており、保護カバー１１０に形成した第２位置規制突片１１４ａ(後述)が第１位置規制突片２４ｃに当接して保護カバー１１０の開閉(回動)規制を行なうよう構成される。また、前記右枠部材２４には、中枠１２の前面側に臨む鍵操作部２５ａと、前記外枠１１に設けた係止片(図示せず)に対して係脱可能な第１施錠片２５ｂと、前記前枠１３に設けた係止片(図示せず)に対して係脱可能な第２施錠片２５ｃとを備えた施錠手段２５を配設してある(図５参照)。なお、前記第１施錠片２５ｂおよび第２施錠片２５ｃは、前記鍵操作部２５ａに施錠鍵(図示せず)を前側から差込んで回動方向に応じて独立して作動するようになっており、前記中枠１２および前枠１３を任意に開閉し得るよう構成されている。なお、図３においては、右枠部材２４の施錠手段２５を省略して示してある。
【００２１】
〔球タンクおよびタンクレールについて〕
また、前記上枠部材２１の本体の裏側には、パチンコ球Ｓを貯留可能な球タンク２６や、該球タンク２６に貯留したパチンコ球Ｓを一列に整列するタンクレール３４が設けられると共に、前記下枠部材２２の本体の裏側には、前記上下の球皿１４,１５に連通する第１球流通路４４(図１８参照)、および設置枠台に設けられる球回収樋(図示せず)にパチンコ球Ｓを排出する第２球流通路４５(図１８参照)が形成された機能部材４３を配設してある。そして、前記タンクレール３４と機能部材４３の第１および第２球流通路４４,４５とを、球通路ユニット５０(後述)により連通接続するよう構成される。すなわち、前記設置枠台に設けられた球供給設備から前記球タンク２６に供給されたパチンコ球Ｓは、前記タンクレール３４および球通路ユニット５０を介して前記機能部材４３まで到来して、上下の球皿１４,１５に給出されるようになっている。なお、前記機能部材４３には、パチンコ機１０の全体を制御するメイン制御装置１０５や、外部から供給された電源を各制御装置１０４,１０５や各種装置２０,１０１に分配供給する電源制御装置１０６、その他の各種中継基板１０７が配設されている。
【００２２】
前記球タンク２６およびタンクレール３４は、図５〜図８に示すように、前記開口領域１２ａより後方に位置するよう前記上枠部材２１の本体と一体成形されると共に、その一部が開口領域１２ａの後方に重なるように臨んでいる。すなわち、前記上枠部材２１の本体の上下方向の厚みは中枠１２の剛性を維持し得る最小限の寸法に設定され、開口領域１２ａに設置した遊技盤１８と、球タンク２６およびタンクレール３４とが前後に重なり合うよう構成される。
【００２３】
次に、球タンク２６とタンクレール３４との関係につき説明する。図６〜図８に示すように、前記球タンク２６は、右枠部材２４側から左枠部材２３側に向けて下方傾斜するタンク底面２７と、該タンク底面２７の外周縁に沿って上方へ立ち上がる前後左右の壁部２８,２９,３０,３１とから上方開口する略矩形箱状に形成され、当該タンク底面２７および各壁部２８,２９,３０,３１により画成される貯留空間３２にパチンコ球Ｓを貯留するようになっている。そして、前記球タンク２６(タンク底面２７)の傾斜下端側に前記タンクレール３４が設けられ、該球タンク２６における左枠部材２３側(タンクレール３４側)の壁部３０に形成した連通口２６ａを介してタンクレール３４が貯留空間３２に連通するよう構成されている。また、前記球タンク２６における左枠部材２３側(タンクレール３４側)の壁部３０には、貯留空間３２に臨む面に、パチンコ球Ｓを前記連通口２６ａへ誘導する球誘導手段としての球誘導面３０ａを形成してある。ここで、前記球誘導面３０ａは、凹面状に形成されて、球タンク２６のタンク底面２７に沿って球誘導面３０ａに流下したパチンコ球Ｓの球圧を吸収しつつ連通口２６ａへ速やかに誘導し得るようになっている。
【００２４】
一方、前記タンクレール３４は、図７または図８に示すように、前記球タンク２６の連通口２６ａに連接し、該球タンク２６の長手方向に沿う方向に延在する第１球経路３５と、該第１球経路３５の終端に反対方向へ折返すよう連接する第２球経路３６とから基本的に構成される。ここで、前記第１および第２球経路３５,３６の夫々は、その通路幅がパチンコ球Ｓの球径と略同一に設定され、前記連通口２６ａから到来したパチンコ球Ｓが一列状態で流下し得るようになっている。なお、前記第１球経路３５におけるレール底面３５ａは、球タンク２６におけるタンク底面２７の傾斜角度と略同等で傾斜するように設定されて、左枠部材２３に向かうにつれて下方傾斜するよう形成される。ここで、前記第１球経路３５のレール底面３５ａは、前記球タンク２６のタンク底面２７より下方に位置するよう形成されて、両底面２７,３５ａの間に段差ｄが生ずるよう設定してある。なお、実施例では、前記段差ｄの高さ寸法は、パチンコ球Ｓの球径と略同等に設定されると共に、該段差部位におけるタンクレール３４(第１球経路３５)に臨む面を、断面円弧状に凹むよう形成して、球タンク２６から第１球経路３５にパチンコ球Ｓが流下する際に、上下に重なり合うパチンコ球Ｓを崩して整列し易くしている。
【００２５】
また、前記第２球経路３６は、前記第１球経路３５の前側に形成されて、球タンク２６の近傍まで延在すると共に、該第２球経路３６のレール底面３６ａにおける下流端部に、下方に開口する球排出口３６ｂ(図７参照)が開設されている。なお、前記第２球経路３６のレール底面３６ａは、第１球経路３５におけるレール底面３５ａ(球タンク２６におけるタンク底面２７)の傾斜角度と略同等の傾斜角度で、右枠部材２４に向かうにつれて下方傾斜するようになっている。また、図６または図８に示すように、前記上枠部材２１の本体の前端部には、中枠１２の閉成時に外枠１１の前端面に当接するフランジ部２１ａが上方へ延出するよう形成されて、中枠１２と外枠１１との間からの異物挿入による不正行為を阻止すると共に、該上枠部材２１の剛性を向上するようになっている。
【００２６】
前記上枠部材２１における球タンク２６およびタンクレール３４の後面を画成する壁部２９における前記タンクレール３４側には、前記球通路ユニット５０の上端部を支持する上支持部３８が形成されている。前記上支持部３８は、前記後壁部２９より後方に突出するよう形成されて、その略中央位置に前後に貫通する上部係合孔(第２上係合手段)３９が開設される(図１９参照)。また、タンクレール３４の下面側には、下方に延出する支持壁部４０,４０(図６、図８または図１９参照)が前記タンクレール３４の球排出口３６ｂを挟んで左右方向に離間する位置に形成されると共に、両支持壁部４０,４０の間に、下方に突出する位置決め突部(図示せず)が突設されて、これら支持壁部４０,４０および位置決め突部により、前記球通路ユニット５０における上部位置の左右方向の位置決めを行なうよう構成されている。また、前記後壁部２９には、前記上支持部３８の近接位置(すなわち後壁部２９における左枠部材２３側の端部近傍)に、後方に開口する係止筒部(固定手段)２９ａが形成されており、前記保護カバー１１０に設けた固定具１１９(後述)を着脱可能に固定するようになっている。
【００２７】
また、図５に示すように、前記機能部材４３は、前記下枠部材２２の裏側に概ね隠れる大きさに形成されて、該機能部材４３が下枠部材２２より上方に大きく突出しないよう設定してある。前記機能部材４３における前記上支持部３８の下方位置には、前記球通路ユニット５０の下端部を支持する下支持部４６が形成される。前記下支持部４６は、前記機能部材４３の上端面より上方に延出するよう形成されると共に、該下支持部４６に前記第１および第２球流通路４４,４５の一部が形成されている。なお、図１８において、第１球流通路４４は右側に位置し、第２球流通路４５は左側に位置すると共に、両球流通路４４,４５は、上方に開口している。
【００２８】
また、前記下支持部４６には、上端部近傍に上方および前方に開口する下部係合孔(第２下係合手段)４７が形成されており、前記球通路ユニット５０に形成される後述の突出部(第１下係合手段)７０を、該下部係合孔４７に対して挿脱し得るようになっている。更に、前記下支持部４６における上端部の左右側部には、前記球通路ユニット５０に形成される後述の枢軸７１を回転可能に支持する軸支部４８,４８を上方に開口するよう形成してある。
【００２９】
〔球通路ユニットについて〕
次に、前記タンクレール３４と、前記機能部材４３の球流通路とを連通接続する球通路ユニット５０について説明する。図１０に示すように、前記球通路ユニット５０は、上下方向に延在する矩形状に形成されたユニット本体５１と、該ユニット本体５１に対して着脱可能に配設されて、パチンコ球Ｓの払出し動作を行なうカセット形態とされる電動制御式の球払出装置１０１とからなり、前記上枠部材２１(具体的には上支持部３８)および下枠部材２２(具体的には機能部材４３に形成した下支持部４６)の間に架設される。すなわち、前記球通路ユニット５０は、前記上枠部材２１および機能部材４３に対して前記左枠部材２３側に偏った位置に設けられている。
【００３０】
前記ユニット本体５１は、図１０〜図１２に示すように、前記タンクレール３４および機能部材４３を連通接続する球通路を形成した通路形成部５２と、該通路形成部５２の経路途中に設けられて、後方に開口する開口部５５ａを介して前記球払出装置１０１を着脱自在に配設し得る設置部５５と、該設置部５５の開口部５５ａを開閉可能に閉成するカバー部材９０と、通路形成部５２の前側に画成されて前記遊技盤１８の裏側に設けた図柄表示装置２０を臨ませ得る空間部５７とを有している。なお、以下の説明においては、特に断りのない限り、前記設置部５５に球払出装置１０１を配設すると共に、球通路ユニット５０を上枠部材２１(上支持部３８)および下枠部材２２(下支持部４６)に架設した状態を基準として説明する。
【００３１】
ここで、前記球払出装置１０１は、図１０に示すように、後端部に上下に延在する球払出通路１０２が形成されており、該球払出通路１０２の上部開口(以下、球取込口１０２ａと云う)に流入するパチンコ球Ｓを、球払出通路１０２の下部開口(以下、球排出口１０２ｂと云う)から１個ずつ排出する装置である。また、前記球払出装置１０１の後端面(設置部５５の開口部５５ａから外側に臨む位置)には、棒状部材や針金等を差込むことで操作可能な球抜操作部１０３(図１０参照)が設けられており、棒状部材や針金等の差込みにより球抜操作部１０３を操作することで、球払出通路１０２に流入したパチンコ球Ｓを球排出口１０２ｂから無条件で排出させ得るようになっている。なお、払出制御基板に電気的に接続された配線(図示せず)は、前記設置部５５の下面側に後方に開口するよう形成したスリット状の配線挿入口５５ｂ(図１０参照)に臨ませるよう構成されており、該配線を球払出装置１０１に接続した状態で、設置部５５への球払出装置１０１の着脱を行ない得るようになっている。
【００３２】
図１０〜図１２に示すように、前記通路形成部５２には、前記タンクレール３４を設置部５５に連通接続する第１の球通路５３と、該設置部５５を機能部材４３の第１球流通路４４に連通接続する第２の球通路５４とが形成される。すなわち、前記第１の球通路５３の球入口(以下、第１の球入口５３ａという)が前記タンクレール３４における第２球経路３６の球排出口３６ｂに連通し、第１の球通路５３の球出口(以下、第１の球出口５３ｂという)が前記球払出装置１０１の球取込口１０２ａに連通すると共に、前記第２の球通路５４の球入口(以下、第２の球入口５４ａという)が前記球払出装置１０１の球排出口１０２ｂに連通し、第２の球通路５４の球出口(以下、第２の球出口５４ｂという)が機能部材４３の第１球流通路４４に連通するようになっている。また、前記通路形成部５２には、後方に開口する係止筒部(固定手段)５２ｂが形成されており、前記保護カバー１１０に設けた固定具１１９を着脱可能に固定し得るよう構成されている。
【００３３】
ここで、前記第１の球入口５３ａは、ユニット本体５１の上側前端部に上方で開口すると共に、第１の球出口５３ｂは、前記設置部５５の後部位置で開口している。すなわち、前記第１の球通路５３は、球通路ユニット５０を側面から視た状態(図１１に示す状態)では、前記第１の球入口５３ａから下方に向かうにつれて後方へ延在し、球通路ユニット５０の後端部において鉛直方向に延在した後に前記第１の球出口５３ｂを介して設置部５５に連通するよう形成される。このように、前記第１の球通路５３を設置部５５の後端部側に連通するよう形成することで、該第１の球通路５３(通路形成部５２)の前側に前記空間部５７が位置するようになっている。また、前記第１の球通路５３における前記第１の球出口５３ｂの近傍には、後述する収納部６２に連通するスリット６５(図１４または図１６参照)が形成されており、該スリット６５を介して、ストッパ部材６３の規制片６３ａが第１の球通路５３内に臨み得るよう構成される。なお、前記第１の球通路５３は、左右方向に蛇行するよう形成され(図１２参照)、前記タンクレール３４の第２球経路３６から到来するパチンコ球Ｓを減勢させつつ流下させるよう構成されている。
【００３４】
また、前記ユニット本体５１における前記左枠部材２３側の端部には、前記通路形成部５２および設置部５５の対応する端部に連接する画壁５６が設けられており、該通路形成部５２、設置部５５および画壁５６により、前記空間部５７が前側および右枠部材２４側(球通路ユニット５０が偏る側とは反対側)に開放するよう画成される(図９参照)。これにより、前記遊技盤１８の裏側に配設した前記大型の図柄表示装置２０を空間部５７に臨ませ得るようになっている。
【００３５】
一方、前記第２の球入口５４ａは、前記第１の球出口５３ｂと上下に整列する位置に設けられると共に、前記第２の球出口５４ｂは、前記ユニット本体５１の下側前端部で下方に開口するよう設けられている。すなわち、前記第２の球通路５４は、球通路ユニット５０を側面から視た状態(図１１に示す状態)では、前記第２の球入口５４ａから下方に向かうにつれて前方へ延在している。
【００３６】
なお、前記ユニット本体５１には、前記第１の球通路５３の下流端部近傍(第１の球出口５３ｂの近傍)から分岐する球抜き通路５９が形成されている。前記球抜き通路５９は、前記画壁５６および設置部５５の側部(左枠部材２３側。図１２または図１３における右側)に設けられて、ユニット本体５１の下側前端部で下方に開口させた第３の球出口５９ａを介して前記機能部材４３に形成した第２球流通路４５に連通接続するようになっている。ここで、前記第１の球通路５３と、球抜き通路５９との分岐位置には、前記タンクレール３４から到来するパチンコ球Ｓの流下方向を変更する球抜規制部材６０が配設されている(図１２または図１３参照)。実施例では、前記ユニット本体５１に形成した長孔５２ａを介して前記球抜規制部材６０の操作片６０ａがユニット本体５１の外方に突出するよう構成されて、該操作片６０ａが下方にある状態では球抜規制部材６０の球止片６０ｂが前記球抜き通路５９を閉成してパチンコ球Ｓを設置部５５(球払出装置１０１)へ案内し、操作片６０ａを上方へ引き上げることで、該球止片６０ｂが退避してパチンコ球Ｓが球抜き通路５９へ案内されるようになっている。なお、図１２または図１３では、前記球抜規制部材６０の球止片６０ｂが前記球抜き通路５９を閉成して、第１の球通路５３を流下するパチンコ球Ｓを設置部５５(球払出装置１０１)へ案内する状態を示している。
【００３７】
また、図１４〜図１７に示すように、前記ユニット本体５１には、前記第１の球出口５３ｂの近傍に、後方に開口する収納部６２が形成されており、該収納部６２に、第１の球出口５３ｂからのパチンコ球Ｓの通過を規制可能なストッパ部材６３が配設されている。前記ストッパ部材６３は、前記収納部６２内を前後に移動可能な丸棒状に形成されて、前記第１の球出口５３ｂの近傍に形成した前記スリット６５に臨ませ得る規制片６３ａを前端部側に設けてある。そして、前記規制片６３ａが前記スリット６５を介して第１の球通路５３内に突出してパチンコ球Ｓの通過を規制する球通過規制位置(図１４または図１５参照)と、規制片６３ａが第１の球通路５３から退避してパチンコ球Ｓの通過を許容する球通過許容位置(図１６または図１７参照)との間を、前記ストッパ部材６３が変位するようになっている。ここで、前記ストッパ部材６３は、前記収納部６２に設けたバネ部材(付勢手段)６４により、常には球通過規制位置へ向けて付勢されている(図１４または図１５参照)。なお、前記ストッパ部材６３を球通過規制位置に保持した状態では、該ストッパ部材６３の後端部が収納部６２(ユニット本体５１)の後方へ突出するようになっている(図１０参照)。
【００３８】
図１０に示すように、前記ユニット本体５１の裏側には、前記設置部５５の直上方位置に、前記カバー部材９０の上部を固定する略円形台状の固定台６７が形成される。ここで、前記固定台６７には、その略中央位置にネジ孔６７ａが形成されて、該ネジ孔６７ａを挟む左右両側に、後方に突出する突起部６７ｂを夫々形成してある。また、前記ユニット本体５１の裏側における前記設置部５５の直下方位置には、後方へ向けて突出する支持片６８,６８が左右方向に離間して形成されて、両支持片６８,６８の間に、前記カバー部材９０の下部を枢支する軸部６９を形成してある。
【００３９】
ここで、前記球通路ユニット５０は、ユニット本体５１の下部に設けられる突出部(第１下係合手段)７０と、ユニット本体５１の上部に設けられる回転式係合部材(第１上係合手段)７９とを介して、前記上枠部材２１(上支持部３８)と下枠部材２２(下支持部４６)との間に着脱可能に架設される。前記突出部７０は、図１１に示すように、前記ユニット本体５１の下側前端部に、前記機能部材４３の下支持部４６に形成した前記下部係合孔４７に挿脱し得るよう下方へ突設され、該突出部７０を下部係合孔４７に挿入することで、球通路ユニット５０の下部を位置決めしている。なお、前記ユニット本体５１の下側前端部には、ユニット本体５１の左右側面から突出する枢軸７１,７１(図１０〜図１３参照)が形成されており、該枢軸７１,７１を前記下支持部４６に形成した前記軸支部４８,４８で軸支するようになっている(図１８参照)。すなわち、前記球通路ユニット５０は、前記枢軸７１,７１を中心として上部側を所要角度だけ後方へ傾倒させ得るようになっている。
【００４０】
一方、前記回転式係合部材７９は、図１９に示すように、円板部８０と、該円板部８０の後面側に形成されて作業者が摘み操作可能な把持部８１と、円板部８０の前面側に形成されて、前記上枠部材２１に形成した上支持部３８の上部係合孔３９に係脱自在に係合し得る一対の係合突部８２,８２とから構成されている。そして、前記ユニット本体５１の上側後端部に、上方へ向けて突出する突出板部７８を形成すると共に、該突出板部７８に前後に貫通するよう挿通孔７８ａを形成して、該挿通孔７８ａに前記係合突部８２,８２を後方から挿入することにより、前記回転式係合部材７９が突出板部７８(ユニット本体５１)に回転可能に組付けられる。なお、前記突出板部７８の挿通孔７８ａと、前記上支持部３８の上部係合孔３９とは、前後に整列する位置関係に形成されて、挿通孔７８ａに挿入されている前記回転式係合部材７９の係合突部８２,８２を上部係合孔３９に挿入し得るよう構成されている。
【００４１】
すなわち、前記回転式係合部材７９の係合突部８２,８２を上部係合孔３９に挿入した状態で、該回転式係合部材７９を略９０°だけ回転操作すると、係合突部８２,８２が上部係合孔３９の縁部に係合して、球通路ユニット５０の上部が位置決め固定され、更に回転式係合部材７９を略９０°だけ回転操作すると、係合突部８２,８２と上部係合孔３９との係合が解除され、球通路ユニット５０の上部を上枠部材２１から離脱させ得るようになっている。なお、前記ユニット本体５１の上部には、前記第１の球入口５３ａの側部位置に、上方および前方に開口する凹部８４(図１０または図１９参照)が形成されており、該凹部８４に前記上枠部材２１に形成した位置決め突部が臨むよう構成されている。すなわち、前記凹部８４を画成する左右側壁(位置決め片)８５,８５が前記位置決め突部に当接して、球通路ユニット５０の左右方向の位置決めを行なっている。
【００４２】
なお、前記ユニット本体５１の裏側における上部位置(突出板部７８の下方位置)には、基板取付部７３が形成されており、該基板取付部７３に中継基板７５を着脱自在に配設し得るようになっている。また、図１２に示すように、前記ユニット本体５１における前記基板取付部７３の下方近傍には、球検出センサ(図示せず)を着脱可能なセンサ取付部７６が形成されており、該センサ取付部７６に取付けた球検出センサにより、前記第１の球通路５３内のパチンコ球Ｓの有無を検出している。なお、前記ユニット本体５１には、所要位置に配線係止部８７が形成され、前記中継基板７５に接続する配線やその他の配線を所定位置に保持し得るよう構成されている。
【００４３】
次に、前記設置部５５の開口部５５ａを開閉するカバー部材９０について、該開口部５５ａをカバー部材９０で閉成した状態を基準にして説明する。前記カバー部材９０は、図１０〜図１３に示すように、前記設置部５５の開口部５５ａに略整合する大きさに形成された被覆面部９１と、該被覆面部９１の下端部に形成されて前記ユニット本体５１に形成した軸部６９に回転可能に係合する係合フック９２と、被覆面部９１の上端部に形成されて、ユニット本体５１の固定台６７に当接して固定される当接部９３とを備えている。なお、前記被覆面部９１には、その外周縁から前側に延出する周壁９１ａが形成されており、カバー部材９０の閉成時に前記設置部５５に設置した球払出装置１０１を囲繞するようになっている。
【００４４】
また、前記当接部９３には、前記固定台６７に形成したネジ孔６７ａと前後に整列する位置に、前後に貫通する通孔９３ａが穿設されると共に、前記突起部６７ｂ,６７ｂの夫々に対応する位置には、該突起部６７ｂ,６７ｂを挿入可能な位置決め孔９３ｂ,９３ｂが夫々穿設されている。すなわち、前記カバー部材９０の閉成時に、前記固定台６７の突起部６７ｂ,６７ｂが対応の位置決め孔９３ｂ,９３ｂに挿入されることで、カバー部材９０が位置決めされて、この状態でカバー部材９０(当接部９３)の通孔９３ａを介して固定台６７のネジ孔６７ａにネジを螺挿することで、カバー部材９０が閉成状態で固定されるようになっている。
【００４５】
更に、図１０、図１４または図１６に示すように、前記カバー部材９０には、前記ユニット本体５１に設けた前記ストッパ部材６３に当接し得る位置に押え部９４が形成されている。ここで、前記押え部９４は、カバー部材９０の閉成時には前記ユニット本体５１の裏側に当接するよう構成される。従って、前記カバー部材９０の閉成時には、前記押え部９４がストッパ部材６３に当接して、該ストッパ部材６３を前記バネ部材６４の付勢力に抗して前記球通過許容位置(図１６参照)に保持するようになっている。一方、前記カバー部材９０を開放した場合には、前記押え部９４とストッパ部材６３との当接が解除されるから、該ストッパ部材６３はバネ部材６４の付勢力により前記球通過規制位置(図１４参照)へ変位される。すなわち、前記カバー部材９０の開閉により、前記ストッパ部材６３が球通過許容位置と球通過規制位置との間で変位するようになっている。
【００４６】
図１３に示すように、前記被覆面部９１には、前記球払出装置１０１に設けた前記球抜操作部１０３と前後に整列する位置に、前記設置部５５内に連通可能な差込み口(窓部)９５が前後に貫通するように形成されると共に、該差込み口９５の近傍(図１３における左側)には、後方に突出する位置規制片９６を形成してある。すなわち、前記差込み口９５に棒状部材や針金等を挿入することで、前記カバー部材９０を閉成した状態で球払出通路１０２の球抜操作部１０３を操作し得るようになっている。また、前記被覆面部９１には、左右方向に延在するガイド孔９７,９７が上下に離間する位置に形成されて、該ガイド孔９７,９７に遮蔽部材９８が、差込み口９５を挟んでスライド移動可能に配設してある。ここで、前記遮蔽部材９８は、前記差込み口９５を開放する位置(図１３または図２０(a)参照)から、該差込み口９５を閉成する位置(図２０(b)参照)に移動し得るようになっている。なお、前記被覆面部９１における前記設置部５５に臨む面には、前記ガイド孔９７,９７における前記差込み口９５に近接する端縁側に、該ガイド孔９７,９７に向けて傾斜する傾斜案内部９１ｂ,９１ｂ(図２０(a),(b)に一方の傾斜案内部９１ｂを図示)を形成してある。
【００４７】
前記遮蔽部材９８には、図２０(a),(b)に示すように、前記差込み口９５を開放する位置に保持した際に、前記傾斜案内部９１ｂ,９１ｂ側を指向するＬ字状の案内片９８ａ,９８ａ(図２０(a),(b)には一方の案内片９８ａのみ図示)が形成されており、該案内片９８ａ,９８ａを対応のガイド孔９７,９７に臨ませてある。従って、前記差込み口９５を開放する位置から閉成する位置へ前記遮蔽部材９８を移動させると、前記各案内片９８ａが前記被覆面部９１に形成した傾斜案内部９１ｂに沿って移動することで、遮蔽部材９８の本体部分が被覆面部９１に近接する方向に変位するようになっている。
【００４８】
また、前記遮蔽部材９８における前記被覆面部９１と対向する面には、前記差込み口９５側に所要の厚さ寸法に設定されたシート状部材９９(図２０(a),(b)参照)を貼着してある。すなわち、前記差込み口９５を開放する位置から閉成する位置へ前記遮蔽部材９８を移動させることで、該遮蔽部材９８の本体部が被覆面部９１に近接する方向へ変位すると、前記シート状部材９９が遮蔽部材９８と被覆面部９１との間に噛み込まれて、該遮蔽部材９８の移動が困難となるよう構成されている。すなわち、実施例では、前記差込み口９５を閉成する位置へ前記遮蔽部材９８を一旦移動させた後は、該差込み口９５を開放する位置への遮蔽部材９８の移動が困難となる。
【００４９】
〔保護カバーについて〕
次に、前記遊技盤１８の裏側を保護する保護カバー１１０について説明する。前記保護カバー１１０は、図２、図３または図２１に示すように、前記図柄表示装置２０の後方を保護するカバー本体１１１と、遊技盤１８に対する不正行為を防止する不正行為防止部１２３とからなり、該カバー本体１１１および不正行為防止部１２３を前記中枠１２の右枠部材２４に枢支するよう構成されている。前記カバー本体１１１は、前記図柄表示装置２０の背面と対向する背面部１１２と、前記中枠１２の上枠部材２１に当接する上面部１１３と、前記右枠部材２４に枢支される第１側面部１１４(図２１における左側の側面部)と、前記球通路ユニット５０に当接する第２側面部１１５(図２１における右側の側面部)とから、前方および下方へ開口するボックス状に形成されて、該保護カバー１１０により右枠部材２４から球通路ユニット５０までに亘り遊技盤１８の裏側を覆うようになっている。また、前記カバー本体１１１は、遊技盤１８の裏側の上側半分を覆う大きさに設定されて、該カバー本体１１１より下方に前記サブ制御装置１０４が位置して(図２参照)、保護カバー１１０を閉成した状態でサブ制御装置１０４に対する配線接続を行ない得るようになっている。
【００５０】
なお、前記上面部１１３、第１側面部１１４および第２側面部１１５の夫々には適宜の勾配が付与されて、背面部１１２から遊技盤１８に向かって拡開する形状を呈して、特に上面部１１３へ落下したパチンコ球Ｓの停留を防止するようになっている。また、前記保護カバー１１０は、前記遊技盤１８から後方へ突出する図柄表示装置２０を収容し得る奥行き(深さ)寸法に設定される(図９参照)。なお、前記カバー本体１１１の背面部１１２には、パチンコ球Ｓが通過し得ない大きさ・形状に設定された横長スリット状の放熱孔１１２ａが複数設けられており、保護カバー１１０の内側に配置した図柄表示装置２０から発生する熱を外部へ排出し得るよう構成される。
【００５１】
図３または図２２に示すように、前記カバー本体１１１における第１側面部１１４の前端部には、外方(左方向)へ向けて延出する第２位置規制突片(開放制限手段)１１４ａが形成されて、該第２位置規制突片１１４ａにおける上下方向に離間する２箇所に形成した切欠部１１４ｂに、保護カバー１１０を枢支する支軸(枢支手段)１１６を下方へ向けて突設してある。なお、図２２は、前記カバー本体１１１の上部側に形成した第２位置規制突片１１４ａ、切欠部１１４ｂおよび支軸１１６を図示している。すなわち、前記各支軸１１６を、前記中枠１２の右枠部材２４に形成した軸受部２４ａの軸孔２４ｂに上方から挿入することで、前記保護カバー１１０を開閉可能に枢支するようになっている。ここで、前記第２位置規制突片１１４ａは、保護カバー１１０を開放した際に第１位置規制突片２４ｃに当接して保護カバー１１０の開放方向への変位を規制するようになっている。なお、前記第２位置規制突片１１４ａは、保護カバー１１０の回動角度が略１００°〜１１０°となるよう形成してあるが、これに限らず任意に設定することができ、例えば第２位置規制突片１１４ａの左端部を前方あるいは後方に位置するよう第２位置規制突片１１４ａ傾斜することで、保護カバー１１０の回動角度を変更し得る。
【００５２】
また、前記第２側面部１１５の前側下端部近傍および上面部１１３の前側左端部近傍には、外方に突出する固定具取付部１１８が形成されており、該固定具取付部１１８に出没式の固定具(固定手段)１１９が配設されている。前記固定具１１９は、前記固定具取付部１１８の後側に操作部１１９ａが位置すると共に、該固定具取付部１１８の前側に図示しない係止部が位置して、後方から操作部１１９ａを押圧操作すると、係止部が拡開する固定位置へ変位し、操作部１１９ａを引っ張り操作により係止部が縮小する固定解除位置へ変位するタイプの部材である。そして、前記固定具１１９を固定解除位置に保持した状態で前記上枠部材２１および球通路ユニット５０に形成した係止筒部２９ａ,５２ｂに係止部を挿入し、この状態で固定具１１９の操作部１１９ａを押圧操作して係止部を固定位置へ変位させることで、係止部と係止筒部２９ａ,５２ｂとが係合して保護カバー１１０が閉成状態で固定される。反対に、前記固定具１１９の操作部１１９ａを引っ張り操作して係止部を固定解除位置へ変位させることで、係止部と係止筒部２９ａ,５２ｂとの係合が解除されて保護カバー１１０を開放し得るようになっている。すなわち、固定具１１９を操作して係止筒部２９ａ,５２ｂと係脱することで、保護カバー１１０を閉成状態で保持し、あるいは開放し得るよう構成されている。
【００５３】
前記第２側面部１１５の前端部には、外方(球通路ユニット５０側)へ突出する第１位置決め片１２０が形成されると共に、前記上面部１１３の前端部には、上方へ突出する第２位置決め片１２１が該上面部１１３の左右方向の略全長に亘って形成されている。ここで、前記第１位置決め片１２０は、前記保護カバー１１０を閉成した際に前記球通路ユニット５０のユニット本体５１の背面に当接し、前記第２位置決め片１２１は、保護カバー１１０を閉成した際に前記球タンク２６およびタンクレール３４の後壁部２９に当接するよう設定される。すなわち、前記第１および第２位置決め片１２０,１２１が、対応する球通路ユニット５０のユニット本体５１および後壁部２９の夫々に当接することで、保護カバー１１０を閉成した際に、該保護カバー１１０を閉成位置で位置規制し得るようになっている。
【００５４】
前記不正行為防止部１２３は、背面部１２４、側面部１２５および下面部(図示せず)から構成されて、該不正行為防止部１２３の背面部１２４および側面部１２５が、前記カバー本体１１１における対応する背面部１１２および第１側面部１１４と同一平面上に位置するようネジ１２６を介してカバー本体１１１にネジ止め固定される。すなわち、前記不正行為防止部１２３は、前方、上方および左枠部材２３側へ開口するよう形成されて、該不正行為防止部１２３の内側に各種部材を配置し得るよう構成されている。なお、実施例では、前記不正行為防止部１２３は、前記保護カバー１１０の下端から遊技盤１８の下端部より下方(実施例では、機能部材４３の上下方向の略１／３)まで延在する大きさに寸法設定されており、該不正行為防止部１２３の内側に、機能部材４３に配置した中継基板１０７の一部が臨むようになっている。
【００５５】
前記不正行為防止部１２３の側面部には、前記カバー本体１１１の第１側面部１１４と同様に、外方(左方向)へ向けて延出する第２位置規制突片１１４ａが形成されると共に、該第２位置規制突片１１４ａに形成した切欠部１１４ｂに、保護カバー１１０を枢支する支軸１１６が下方へ向けて突設されている。なお、不正行為防止部１２３の第２位置規制突片１１４ａ、切欠部１１４ｂおよび支軸１１６は、図２、図３および図２１において前記カバー本体１１１に設けた第２位置規制突片１１４ａ、切欠部１１４ｂおよび支軸１１６と同一の符号を付してある。そして、前記各支軸１１６を、前記中枠１２の右枠部材２４に形成した軸受部２４ａの軸孔２４ｂに上方から挿入することで、不正行為防止部１２３を開閉可能に枢支している。従って、前記カバー本体１１１を開閉操作することで、該カバー本体１１１に合わせて不正行為防止部１２３も一体で開閉する、すなわち保護カバー１１０全体が開閉するようになっている。
【００５６】
〔実施例の作用〕
次に、実施例に係るパチンコ機の作用につき説明する。
【００５７】
実施例に係るパチンコ機１０では、中枠１２を上枠部材２１、下枠部材２２、左枠部材２３および右枠部材２４から構成して各枠部材２１,２２,２３,２４を別部材とすると共に、該上枠部材２１に、球タンク２６およびタンクレール３４の夫々を一体成形するよう構成してある。すなわち、前記球タンク２６やタンクレール３４を別途取付ける必要がないから、組付け作業の簡略化を図り得る。また、従来のように、球タンク２６およびタンクレール３４を取付けるために、中枠１２の上方位置まで機能部材４３を延在させる必要がない。すなわち、中枠１２の上方位置に機能部材４３を設置固定する設置領域を確保する必要がないから、遊技盤設置用の開口領域１２ａを中枠１２の上方に拡げることが可能となる。従って、上下方向の寸法の大きな遊技盤１８を中枠１２に組付けることができると共に、遊技盤１８に大型の図柄表示装置２０を配設することで、遊技演出の多様化やインパクト、迫力の向上が図られ、遊技の興趣を増大することができる。
【００５８】
ところで、前記球タンク２６に貯留したパチンコ球Ｓは、パチンコ機の前側における遊技盤１８の下方に配置した上下の球皿１４,１５に給出する必要があり、また場合によっては第１の球通路５３に流入したパチンコ球Ｓを設置枠台の回収樋に回収する必要がある。このような場合に、従来と同様、機能部材４３を中枠１２の上方位置まで延在させて、該機能部材４３の第１および第２球流通路４４,４５をタンクレール３４に連通接続するよう構成する場合には、中枠１２の側部に機能部材４３の設置領域を確保する必要があるため、中枠１２に占める遊技盤設置用の開口領域１２ａの大きさが制限されることとなる。
【００５９】
これに対し、実施例では、前記タンクレール３４と、機能部材４３に設けた第１および第２球流通路４４,４５とを、別途設けた球通路ユニット５０を介して連通接続するよう構成したから、タンクレール３４(球タンク２６)のパチンコ球Ｓを上下の球皿１４,１５に確実に給出し得ると共に、必要に応じてパチンコ球Ｓを設置枠台の回収樋に回収することができる。このように、球通路ユニット５０を設けたことで、機能部材４３をタンクレール３４の近傍まで延在させることなくタンクレール３４(球タンク２６)のパチンコ球Ｓを上下の球皿１４,１５に給出し得るから、機能部材４３を下枠部材２２の裏側に対応する大きさに形成することができる。すなわち、中枠１２の側部に前記機能部材４３の設置領域を確保する必要がないから、遊技盤設置用の開口領域１２ａを左右方向に拡げることができ、左右方向の寸法の大きな遊技盤１８を中枠１２に組付けることが可能となる。従って、左右方向に大きな図柄表示装置２０を前記遊技盤１８に配設することが可能となるから、遊技演出の多様化やインパクト、迫力の向上が図られ、遊技の興趣を増大することができる。
【００６０】
ここで、前記球通路ユニット５０は、球払出装置１０１を設置する設置部５５の後端部側に通路形成部５２(第１の球通路５３)が形成されて、通路形成部５２、設置部５５および画壁５６により空間部５７を画成するようになっている。すなわち、前記通路形成部５２(第１の球通路５３)と、遊技盤１８の裏面とが離間するから、遊技盤１８に設けた図柄表示装置２０を前記空間部５７に臨ませることが可能となる。このように、前記空間部５７に図柄表示装置２０を臨ませることで、遊技盤１８に左右方向に大型の図柄表示装置２０を配設したとしても、図柄表示装置２０が球通路ユニット５０に干渉する等の不都合を防止できる。また、前記空間部５７は、前側および遊技盤１８の中心側(球通路ユニット５０を偏って配置した側とは反対側)に開放するから、図柄表示装置２０のように空間部５７内に収まらない大型の部品の一部を、該空間部５７に臨ませることができる。なお、実施例では、前記空間部５７の開口方向から図柄表示装置２０を臨ませ得るから、球通路ユニット５０を取付けた状態で、図柄表示装置２０を遊技盤１８(保持手段１９)に着脱することが可能となる。また、球通路ユニット５０に画壁５６を設けたことで、該球通路ユニット５０の全体的な剛性を図り得る。従って、実施例のように、前記上枠部材２１(上支持部３８)と下枠部材２２(下支持部４６)との間に球通路ユニット５０を架設することで、球通路ユニット５０に対して直接負荷が掛る場合であっても、該球通路ユニット５０の損傷を防止することができる。
【００６１】
ところで、前記タンクレール３４は、第１球経路３５の前側に第２球経路３６が位置し、該第２球経路３６に球排出口３６ｂが開設されている。すなわち、タンクレール３４の球排出口３６ｂは、遊技盤１８の裏面に近接した位置に設けられていることから、球通路ユニット５０の第１の球通路５３を、球排出口３６ｂから鉛直方向に延在するよう構成した場合には、前記空間部５７の前後方向の確保が困難となり、図柄表示装置２０と球通路ユニット５０とが干渉する虞がある。そこで、実施例では、前記タンクレール３４の球排出口３６ｂに接続する第１の球入口５３ａを球通路ユニット５０(ユニット本体５１)の前側に形成し、該第１の球入口５３ａから下方に向かうにつれて後方へ延在させた後に鉛直方向に延在するよう前記第１の球通路５３を形成したから、前記空間部５７の前後方向の寸法を大きくでき、大型の図柄表示装置２０をユニット本体５１に干渉することなく空間部５７に臨ませ得る。
【００６２】
更に、実施例では、前記ユニット本体５１に形成した第２の球通路５４を、下方に向かうにつれて前側に傾斜させると共に、第２の球出口５４ｂをユニット本体５１の前端部側に位置するよう形成してある。このため、前記第２の球通路５４に連通する機能部材４３の第１球流通路４４を必要以上に後方まで延在させる必要がないから、該機能部材４３の後方への突出を抑制することが可能となる。従って、パチンコ機１０を遊技店における所定の設置枠台に設置した場合に、該設置枠台に設けられた各種設備と機能部材４３との干渉を防止することができる。
【００６３】
また、球払出装置１０１を着脱する設置部５５の開口部５５ａを、カバー部材９０で開閉すると共に、該カバー部材９０を１本のネジで固定して開口部５５ａを閉成するよう構成したことで、このネジの取外しおよび締め付けを行なうだけで球払出装置１０１を着脱することができ、着脱作業を容易に行ない得る。更に、前記カバー部材９０は、下部側に設けた係合フック９２を介してユニット本体５１に枢支されているから、前記ネジを取外した際に、作業者がカバー部材９０を開放状態で保持することなく開放させておくことができる。従って、作業者は両手を用いて作業を行なうことができ、作業性が向上する利点がある。
【００６４】
また、前記カバー部材９０には、設置部５５に配設した球払出装置１０１の球抜操作部１０３と対応する位置に、差込み口９５を形成してある。従って、前記カバー部材９０で設置部５５の開口部５５ａを閉成した状態であっても、カバー部材９０の差込み口９５を介して球抜操作部１０３を操作することができるから、球抜作業の作業性向上を図り得る。殊に、パチンコ機製造過程においては、パチンコ機１０の出荷前に、球通路ユニット５０内に残留するパチンコ球Ｓを完全に排出する必要性があるため、前記球抜操作部１０３の操作の必要性が高い。このような場合には、前記カバー部材９０をその都度開放することなく差込み口９５を介して球抜操作部１０３を操作すればよいから、作業性を効果的に向上し得る利点がある。
【００６５】
また、前記カバー部材９０には、前記差込み口９５を開閉可能に閉成する遮蔽部材９８を設けてあるから、前記球払出装置１０１の球抜操作部１０３を操作しないときには、該遮蔽部材９８により差込み口９５を閉成でき、該球抜操作部１０３の誤操作や不正操作を防止することが可能である。更に、実施例では、前記差込み口９５を閉成する位置に前記遮蔽部材９８を移動した後は、該差込み口９５を開放する位置に遮蔽部材９８を移動するのを困難となるよう構成してあるから、前記球抜操作部１０３の操作頻度が極めて低い遊技店への設置後においては、前記遮蔽部材９８で差込み口９５を閉成することで、球抜操作部１０３の誤操作や不正操作を確実に防止することができる。なお、実施例のように、前記差込み口９５を開放する位置への遮蔽部材９８の移動を困難とした場合であっても、前述したように、前記カバー部材９０を開放することで、前記球抜操作部１０３を操作できるから、遊技店においても球抜操作部１０３を操作することは可能である。
【００６６】
次に、球通路ユニット５０の着脱固定構造について説明する。前記球通路ユニット５０を取付けるに際しては、前記ユニット本体５１の下端部側に形成した突出部７０を、前記機能部材４３に形成した下支持部４６の下部係合孔４７に挿入することで、下部が位置決めされる。このとき、前記下支持部４６に形成した軸支部４８,４８の上方開口を介して、該軸支部４８,４８に前記ユニット本体５１に形成した枢軸７１,７１が軸支される。この状態で、前記ユニット本体５１の上部側を上枠部材２１に向けて揺動(近接)すると、ユニット本体５１の上部位置に形成した突出板部７８が上枠部材２１に形成した上支持部３８に当接する。このとき、前記突出板部７８の挿通孔７８ａと、前記上支持部３８の上部係合孔３９とが前後に整列するから、該突出板部７８に設けた回転式係合部材７９の係合突部８２が上部係合孔３９に突入する。そして、この状態で前記回転式係合部材７９を回転することで、前記係合突部８２が上部係合孔３９の縁部と係合し、ユニット本体５１の上部が位置決め固定される。
【００６７】
一方、前記球通路ユニット５０を取外すに際しては、取付ける場合と反対の操作をすればよい。すなわち、前記回転式係合部材７９を回転操作して前記係合突部８２と上部係合孔３９との係合を解除し、ユニット本体５１を後方へ揺動(離間)する。その後、ユニット本体５１を上方に引き上げて、前記下支持部４６の下部係合孔４７からユニット本体５１の突出部７０を抜出すことで、球通路ユニット５０を取外すことができる。すなわち、前記球通路ユニット５０は、前記下部係合孔４７と突出部７０、および前記上部係合孔３９と回転式係合部材７９(係合突部８２)とを夫々係脱させることで、前記球通路ユニット５０を着脱できるから、該球通路ユニット５０の着脱を容易に行ない得る。
【００６８】
更に、前記球通路ユニット５０を着脱し得るよう構成したことで、該球通路ユニット５０を取外した状態で前記空間部５７に臨むよう遊技盤１８の裏側に図柄表示装置２０を配置し、その後に球通路ユニット５０を取付けることができる。反対に、前記空間部５７に臨む図柄表示装置２０を取外すには、球通路ユニット５０を一旦取外した後に作業を行なうことができる。すなわち、前記図柄表示装置２０の遊技盤１８(保持手段１９)への着脱作業や、各種配線の接続作業等を行なうに際して、前記球通路ユニット５０が作業を阻害するのを防止し得る利点がある。また、実施例では、前記球通路ユニット５０の枢軸７１,７１を、機能部材４３の下支持部４６に設けた軸支部４８,４８で回転可能に支持するようにしてあるから、球通路ユニット５０を後方に傾倒するだけで前記図柄表示装置２０の着脱を行なうことも可能である。従って、前記図柄表示装置２０の着脱作業をより効率的に行なうことが可能となる。殊に、各種配線の接続作業等のように、球通路ユニット５０を取外すことなく行なうことが可能な作業に関し、作業性の向上により大きく寄与し得る利点がある。
【００６９】
また、前記ユニット本体５１の上部に凹部８４を形成し、該凹部８４に上枠部材２１の上支持部３８に形成した位置決め突部が挿入されるよう構成したことで、該ユニット本体５１における凹部８４を画成する側壁８５,８５が位置決め突部の左右両側に当接するから、球通路ユニット５０の左右方向の位置決めを好適に行ない得る。このとき、前記上枠部材２１の上支持部３８に形成した支持壁部４０,４０が前記ユニット本体５１の側壁８５,８５の外側面に当接することで、より確実に球通路ユニット５０の左右方向の位置決めをすることができ、前記回転式係合部材７９と上部係合孔３９との係脱作業を容易になし得る。
【００７０】
また、前記カバー部材９０を開放すると、前記設置部５５の上方に設けたストッパ部材６３がバネ部材６４の付勢力により球通過規制位置へ変位する。すなわち、前記ストッパ部材６３の規制片６３ａが前記第１の球通路５３に突出して、パチンコ球Ｓが設置部５５(球払出装置１０１)に到来するのは規制されるから、前記第１の球通路５３にあるパチンコ球Ｓを設置部５５内に落下させることなく、球払出装置１０１を設置部５５から取外すことができる。
【００７１】
一方、前記設置部５５に球払出装置１０１を設置して、前記カバー部材９０を閉成すると、該カバー部材９０に設けた押え部９４が前記バネ部材６４の弾性力に抗してストッパ部材６３を球通過規制位置から球通過許容位置へ変位させる。このため、前記第１の球通路５３にあるパチンコ球Ｓを、前記第１の球出口５３ｂを介して球払出装置１０１に供給することができるから、該球払出装置１０１の作動条件に従って、パチンコ球Ｓを上下の球皿１４,１５に払出すことが可能である。このように、前記カバー部材９０を開閉することでストッパ部材６３が球通過規制位置と球通過許容位置との間で変位するよう構成したことで、前記球払出装置１０１の着脱に際して、作業者が個別にストッパ部材６３を操作する必要がないから、球払出装置１０１の着脱作業の作業性向上を図り得る。
【００７２】
また、実施例では、前記球タンク２６のタンク底面２７を、右枠部材２４から左枠部材２３に向けて下方傾斜するよう形成すると共に、該球タンク２６の下流端側に、その傾斜に沿う方向に延在するようタンクレール３４を連接したことで、パチンコ球Ｓをスムーズに流下させ得る状態を維持したまま、球タンク２６およびタンクレール３４の上下方向の大きさをコンパクトにできる。従って、遊技盤１８に設けた図柄表示装置２０等の遊技部品が球タンク２６やタンクレール３４に接触し難くなるから、遊技盤１８により大型の図柄表示装置２０等を配設することが可能となる。これにより、遊技演出の多様化やインパクト、迫力の向上を図り、遊技の興趣の増大が可能となる。
【００７３】
ここで、実施例のように、上枠部材２１の本体に、球タンク２６およびタンクレール３４を一体成形した場合に、上枠部材２１の本体の裏側に球タンク２６およびタンクレール３４が臨む(隠れる)構成では、中枠１２の開口領域１２ａを上方に拡げるために上枠部材２１の本体の上下方向の厚みを小さくすると、球タンク２６に十分な深さ寸法を確保することは困難となる。このため、球タンク２６に十分なパチンコ球Ｓを貯留できず、大当り等のように多数のパチンコ球Ｓが排出される場合に球切れ等の不具合が生ずる可能性が高くなる。しかるに、実施例のパチンコ機１０では、前記球タンク２６およびタンクレール３４の一部が前記中枠１２の開口領域１２ａの後方に臨み、中枠１２の開口領域１２ａに遊技盤１８を設置した際に、前記球タンク２６およびタンクレール３４が遊技盤１８と前後に重なるよう構成されている。このため、球タンク２６の深さ寸法を大きくして貯留空間３２の容積を大きくできるから、該球タンク２６に多数のパチンコ球Ｓを貯留し得る。
【００７４】
なお、中枠１２の各枠部材２１,２２,２３,２４を分離可能な別部材としたことで、球タンク２６およびタンクレール３４を一体成形する際の成形性が向上し、製造コストの低減を図り得る。また、各枠部材２１,２２,２３,２４を別部材とすることで、損傷した枠部材２１,２２,２３,２４のみを交換することができ、コストの削減や廃棄物の低減に寄与し得る利点がある。
【００７５】
次に、遊技盤１８の裏側を保護する保護カバー１１０の作用について説明する。前記保護カバー１１０(カバー本体１１１および不正行為防止部１２３)の各支軸１１６を、前記中枠１２の右枠部材２４に形成した軸受部２４ａの軸孔２４ｂに上方から挿入することで、該保護カバー１１０が開閉可能に組付けられる。この状態で、前記保護カバー１１０を閉成して上面部１１３および第２側面部１１５に設けた各固定具１１９の係止部を、前記上枠部材２１の後壁部２９および球通路ユニット５０における通路形成部５２に形成した係止筒部２９ａ,５２ｂに挿入し、該固定具１１９を固定解除位置から固定位置へ押圧操作することで、保護カバー１１０を閉成状態で保持し得る。ここで、前記保護カバー１１０を閉成した際には、保護カバー１１０の上面部１１３および第２側面部１１５に形成した第１および第２位置決め片１２０,１２１が、前記後壁部２９および球通路ユニット５０の通路形成部５２に当接して保護カバー１１０の回動が規制される。すなわち、前記固定具１１９の位置合わせを容易に行ない得るから、該保護カバー１１０の固定作業を容易に行ない得る。
【００７６】
一方、前記保護カバー１１０を開放するに際しては、前記各固定具１１９を引っ張り操作して、各固定具１１９の係止部と対応する係止筒部２９ａ,５２ｂとの係合を夫々解除するだけでよいから、保護カバー１１０の開閉を簡単に行なうことができる。従って、前記保護カバー１１０(カバー本体１１１)の内側に配置される図柄表示装置２０の交換作業やメンテナンス作業等を容易に行なうことが可能である。ここで、固定具１１９と係止筒部２９ａ,５２ｂとの係合を解除して前記保護カバー１１０を開放した際には、該保護カバー１１０に形成した第２位置規制突片１１４ａが前記右枠部材２４に形成した前記第１位置規制突片２４ｃに当接して開放規制される。このように、前記第１および第２位置規制突片２４ｃ,１１４ａを設けて保護カバー１１０の開放範囲を制限することで、保護カバー１１０を開放した際に保護カバー１１０が不用意に他部材に接触するのを防止でき、当該保護カバー１１０や他部材の損傷等を防ぐことができる。
【００７７】
また、遊技店の設置枠台にパチンコ機１０を設置した状態においては、前記保護カバー１１０を開放するには、外枠１１に対して中枠１２を開放した状態で該中枠１２に対して保護カバー１１０を開放する必要がある。外枠１１に対して中枠１２を枢支する左枠部材２３とは反対側の右枠部材２４に保護カバー１１０を枢支してあるから、保護カバー１１０の開放を制限しないと、保護カバー１１０が遊技店内の通路側に大きく飛び出ることとなり、該通路の通行に支障を来たすと共に、通行時に保護カバー１１０に接触して損傷等する殊も考えられる。これに対して、実施例では、前述のように前記第１および第２位置規制突片２４ｃ,１１４ａにより保護カバー１１０の開放範囲を制限し得るから、保護カバー１１０を開放した際に、該保護カバー１１０が遊技店内の通路に大きく飛び出すのを防止でき、該通路の通行時に保護カバー１１０に接触して損傷するのを防ぐことが可能となる。
【００７８】
また、外枠１１に対して中枠１２を枢支する左枠部材２３に保護カバー１１０を枢支した場合には、保護カバー１１０を開放するに際して、中枠１２を外枠１１に対して大きく開放させる必要があり作業性が劣る問題を有する。これに対して、実施例では、外枠１１に対して中枠１２を枢支する左枠部材２３とは反対側の右枠部材２４に保護カバー１１０を枢支するよう構成したことで、保護カバー１１０を開放するに際して中枠１２を大きく開放する必要はないから、該保護カバー１１０の開閉の利便性が向上する利点がある。
【００７９】
ここで、前記遊技盤１８に配設した図柄表示装置２０の後方は、前記保護カバー１１０で覆われると共に、前記球通路ユニット５０の空間部５７に臨む部位については該球通路ユニット５０で覆われて保護される。すなわち、前記球タンク２６やタンクレール３４からパチンコ球Ｓが落下しても、該パチンコ球Ｓが保護カバー１１０の内側に進入することはないから、前記図柄表示装置２０にパチンコ球Ｓが接触して損傷等の不具合を生ずることはない。なお、前記保護カバー１１０の上面部１１３を傾斜させてあるから、前述の如く落下したパチンコ球Ｓが上面部１１３に停留するのを防止し得る。なお、前記上面部１１３の左右方向の略全長に亘って前記第２位置決め片１２１を形成し、該第２位置決め片１２１を上枠部材２１の後壁部２９に当接するよう構成してあるから、球タンク２６やタンクレール３４から落下したパチンコ球Ｓが、該上面部１１３と後壁部２９との間から保護カバー１１０の内側に進入するのを確実に防止できる。
【００８０】
また、実施例では、前記保護カバー１１０を中枠１２の右枠部材２４に枢支すると共に、保護カバー１１０の固定具１１９を前記球通路ユニット５０および上枠部材２１の夫々に形成した係止筒部２９ａ,５２ｂに対して係合させるよう構成したことで、該保護カバー１１０を枢支する部材や、固定具１１９を固定する部材を中枠１２に別途配置する必要がない。更に、前述のように、前記球通路ユニット５０は、前記遊技盤１８と前後に重なるよう前記上枠部材２１および下枠部材２２に架設してある。従って、前記中枠１２の開口領域１２ａを左右の枠部材２３,２４側に最大限拡げて、左右方向に大型化した遊技盤１８を設けることができ、遊技演出の多様化やインパクト、迫力の向上を図り、遊技の面白みを増大させることが可能となる。また、前記球通路ユニット５０を、前記保護カバー１１０を枢支する右枠部材２４とは反対側に位置する左枠部材２３側に偏った位置に架設してあるから、該球通路ユニット５０に保護カバー１１０を固定するよう構成したとしても、遊技盤１８に配置した大型の図柄表示装置２０を確実に保護することができる。
【００８１】
そして、前記中枠１２は、前記遊技盤１８や、前枠１３等の各種の遊技機構成部品の設置部材として機能するため、パチンコ機１０における各種の遊技機構成部品において非常に高い剛性を備えるよう形成される。すなわち、実施例のように、前記保護カバー１１０を前記中枠１２の右枠部材２４に枢支して、該保護カバー１１０の荷重を右枠部材２４で支持するよう構成することで、保護カバー１１０を固定した前記球通路ユニット５０に必要以上の負荷が掛かるのを防止できる。ここで、前述したように、前記球通路ユニット５０は、前記上枠部材２１および下枠部材２２の間に着脱可能に架設されることから、該球通路ユニット５０に対する負荷軽減が求められる。そこで、実施例では、前記保護カバー１１０の上端部に設けた固定具１１９を、前記中枠１２の上枠部材２１に設けた係止筒部２９ａに対して着脱自在に固定するよう構成してあるから、該保護カバー１１０を分散して支持することができ、前記球通路ユニット５０に掛かる負荷を軽減し得ると共に、保護カバー１１０の安定性が向上する。
【００８２】
ところで、パチンコ機１０は前述したように外枠１１を遊技店の設置枠台に固定することで、複数台のパチンコ機１０を並設するよう構成される。この場合に、隣接するパチンコ機１０の間には、若干の隙間が生ずることがある。すなわち、このような隙間が生ずると、該隙間から挿入した針金等の異物を遊技盤１８側まで侵入させて不正行為が行なわれる可能性がある。そこで、実施例では、右枠部材２４側に保護カバー１１０(カバー本体１１１および不正行為防止部１２３)を設けて、右枠部材２４と外枠１１との間に生じた隙間から仮に異物を挿入されたとしても、該異物が遊技盤１８側まで侵入するのを阻止し得るから、不正行為を効果的に防ぐことができる。
【００８３】
また、遊技盤１８の裏側に配設したサブ制御装置１０４に対する配線接続や交換・メンテナンス作業等を容易に行ない得るようするためには、該サブ制御装置１０４の後方はカバー本体１１１で覆わず、開放させることが好ましい。この場合に、実施例のように不正行為防止部１２３を別途設けることで、前記遊技盤１８におけるサブ制御装置１０４に対応する箇所への異物の侵入を防止し得ると共に、サブ制御装置１０４に対する配線接続や交換・メンテナンス作業等の利便性を確保することができる。なお、前記不正行為防止部１２３を前方、後方および左枠部材２３側に開放するよう形成したことで、前記遊技盤１８や機能部材に配設した部材を不正行為防止部１２３の内側に臨ませることができ、スペースの有効利用を図り得る利点もある。
【００８４】
〔変更例〕
なお、遊技機の構成としては、実施例のものに限らず、種々の変更が可能である。例えば、実施例では、保護カバーをカバー本体と不正行為防止部とから構成するようにしたが、カバー本体のみから構成するようにしてもよい。また、カバー本体と不正行為防止部とを独立して開閉し得るよう構成することも可能である。更に、保護カバーの形状・大きさに関しては、実施例にものに限定されるものではなく、遊技盤の裏側に突出する図柄表示装置やその他の遊技部材を保護し得る形状・大きさに設定するようにすればよい。なお、前記遊技盤に配設して保護カバーで保護する遊技部品としては、実施例の図柄表示装置に限定されるものではなく、可動部材を動作させてパチンコ球を入賞させる形式の電動式入賞装置や各種制御装置等、その他遊技盤の裏側に配設される各種部品を採用し得る。
【００８５】
実施例では、保護カバーを球通路ユニットと中枠の上枠部材に着脱可能に固定するようにしたが、球通路ユニットにのみ固定するようにしてもよい。また、保護カバーを着脱固定する固定手段として、実施例では、出没式の固定具を用いるようにしたが、これに限定されるものではなく、従来公知の各種固定手段を採用することが可能である。同様に、保護カバーを枢支する枢支手段についても、実施例のものに限られるものではなく、従来公知の枢支手段を任意に選択して採用することができる。
【００８６】
実施例では、球通路ユニットの下方位置に、球払出装置の設置部を設けるよう構成したが、これに限られるものではなく、設置部を球通路ユニットの上方位置に設けるようにしてもよい。すなわち、前記設置部は、球通路に形成される球通路の経路途中に形成するよう構成すればよい。なお、本発明において、「球通路の経路途中」とは、球通路ユニットにおけるタンクレールに接続する球入口(実施例における第１の球入口５３ａ)、および機能部材の球流通路に接続する球出口(実施例における第２の球出口５４ｂ)の間を示すものである。従って、球通路ユニットにおけるタンクレールに接続する球入口(実施例における第１の球入口５３ａ)を設置部に開口させたり、機能部材の球流通路に接続する球出口(実施例における第２の球出口５４ｂ)を設置部に開口させることも可能である。
【００８７】
実施例では、球通路ユニットを、前記上枠部材および下枠部材(機能部材)に対して左枠部材側に偏った位置に架設したが、これに限られるものではなく、タンクレールや機能部材の球流通路の形成位置に応じて、上枠部材および下枠部材(機能部材)の任意位置に架設することができる。ここで、実施例では、保護カバーを中枠の右枠部材に枢支するよう構成したが、前記球通路ユニットを上枠部材および下枠部材(機能部材)における中枠の右枠部材に偏った位置に架設することもできる。但し、この場合には前記保護カバーを中枠の左枠部材に枢支することが好ましい。すなわち、前記球通路ユニットを中枠の右枠部材側に偏る位置で上枠部材および下枠部材の間に架設すると共に、前記保護カバーを中枠の左枠部材に枢支することで、実施例と同様に遊技盤の裏側を保護することができる。このように、前記保護カバーは、前記球通路ユニットを架設する位置に応じて左右の側枠部材の何れかに枢支するよう構成することができる。なお、前記保護カバーは、該保護カバーの開閉の利便性の観点からは、前記球通路ユニットを外枠に対して中枠を枢支する側枠部材に偏った位置で上枠部材および下枠部材の間に架設して、該外枠に対して中枠を枢支する側枠部材とは反対側の側枠部材に保護カバーを枢支するよう構成することが好ましい。
【００８８】
なお、本発明における「球通路ユニットを架設する上枠部材」とは、上枠部材の本体に球通路ユニットを直接取付ける構成に限らず、該上枠部材に設けられる球タンクやタンクレールに球通路ユニットを取付ける構成を含むものである。同様に、本発明における「球通路ユニットを架設する下枠部材」とは、下枠部材の本体に球通路ユニットを直接取付ける構成に限らず、該下枠部材に設けられる機能部材に球通路ユニットを取付ける構成を含むものである。
【００８９】
実施例では、球通路ユニットを左右何れか一方に偏る位置に配設して、前側および該球通路ユニットが偏る側とは反対側に開放するよう前記空間部を画成したが、少なくとも前側に開放するよう構成すれば、該空間部に遊技盤の裏側に設けた遊技部品を臨ませることが可能である。なお、球通路ユニットにおける空間部の左右両側部を開放するよう構成することで、該球通路ユニットを上枠部材および下枠部材(機能部材)の中央近傍に架設した場合でも、空間部に大型の遊技部品を臨ませることができる。
【００９０】
また、実施例では、球通路ユニットに形成した第１の球通路を、その上方位置において前方に傾斜する屈曲状に形成したが、設置部の後方位置から略鉛直方向に延在するようにしてもよい。すなわち、前記第１の球通路の球入口(第１の球入口)をユニット本体の後端部で上方に開口するよう形成し、該球入口と対応する位置に前記タンクレールの球排出口を形成することで、前記空間部の領域を大きく確保することが可能となる。同様に、球通路ユニットに形成した第２の球通路を、その下方位置において前方に傾斜するよう形成したが、設置部の後方位置から略鉛直方向に延在することも可能である。すなわち、前記第２の球通路の球出口(第２の球出口)をユニット本体の後端部で下方に開口するよう形成し、該球出口に連通するように前記機能部材に形成した球流通路の球入口を形成することが可能である。但し、遊技機を設置する設置枠台の設備との関係で、実施例のように、前記第２の球通路の球出口(第２の球出口)を球通路ユニットの前端部側に形成し、機能部材の後方への突出量を抑制するのが好適である。
【００９１】
実施例では、球通路ユニットの上部に回転式係合部材を配設すると共に下部に突出部を形成し、該回転式係合部材を上枠部材の上部係合孔に係合させ、突出部を機能部材の下部係合孔に係合させることで、該球通路ユニットを上枠部材と下枠部材(機能部材)に架設するようにしたが、これに限られるものではない。すなわち、前記球通路ユニットの上端部近傍に第１上係合手段を設けると共に、前記上枠部材に該第１上係合手段と係脱可能に係合する第２上係合手段を設け、前記球通路ユニットの下端部近傍に第１下係合手段を設けると共に、前記機能部材に該第１下係合手段と係脱可能に係合する第２下係合手段を設けるよう構成すれば、従来公知の各種係合手段を採用し得る。従って、例えば、球通路ユニットの上下の端部近傍に係合手段として回転式係合部材を設けると共に、上枠部材および機能部材に該回転式係合部材と係脱可能に係合する係合孔を設けるようにしてもよい。
【００９２】
また、実施例では、球通路ユニットの設置部の開口部を開閉するカバー部材を下端部側で枢支するようにしたが、これに限られず、設置部の上部側あるいは側部側に回転可能に枢支するようにしてもよい。また、カバー部材を閉成状態で保持する固定手段としては、実施例のネジに限られるものではなく、フック等の係合手段により閉成状態に保持することもできる。
【００９３】
なお、実施例では、前記設置部を後方に開口するようにしたが、前方または左右側方に開口するようにしてもよく、開口部を介して設置部に設置した球払出装置を着脱し得るよう構成すればよい。また、カバー部材は、前記設置部の開口部の開設位置に対応して配設することができる。
【００９４】
また、前記カバー部材に形成する窓部の位置は、実施例に示す位置に限られず、球払出装置に形成される球抜操作部と対応する位置に形成すればよい。更に、前記窓部の大きさ・形状は、カバー部材を閉成した状態で前記球払出装置の球抜操作部を操作し得るものであれば、任意に変更することが可能である。
【００９５】
実施例では、前記窓部を開閉する遮蔽部材にシート状部材を貼着することで、該窓部を閉成する位置へ遮蔽部材を一旦移動させた後は、該窓部を開放する位置への遮蔽部材の移動が困難となるよう構成したが、これに限定されるものではない。例えば、遮蔽部材に第１の係合部を形成すると共に、該係合部と分離不能に係合可能な第２の係合部をカバー部材に形成して、前記窓部を閉成する位置に遮蔽部材を移動した際に、該第１の係合部と第２の係合部とが係合するよう構成することも可能である。なお、前記窓部を閉成するだけで、前記球払出装置の球抜操作部の誤操作や不正操作を抑制し得るのであるから、前記遮蔽部材により窓部を繰り返して開閉し得るように構成してもよい。この場合には、遊技店においてもカバー部材を開放することなく球抜操作部を操作し得る利点がある。
【００９６】
実施例では、第１の球通路の球出口近傍に設けたストッパ部材を球通過規制位置へ付勢する付勢手段としてバネ部材を用いたが、ゴム等の弾性部材も好適に採用し得る。また、前記ストッパ部材の配設位置に関しても、実施例のものに限られず、設置部の開口部を閉成したカバー部材に当接する位置に配設することで、該カバー部材の開閉によりストッパ部材を球通過規制位置から球通過許容位置へ変位することができる。
【００９７】
実施例では、中枠を構成する上下左右の各枠部材を個別の部材として形成したが、これに限られるものではなく、少なくとも上枠部材を分離可能に設けるようにすれば、他の枠部材を一体で形成しても、実施例と同様の作用効果を得ることができる。
【００９８】
実施例では、球タンクおよびタンクレールの夫々を上枠部材の本体と一体成形するよう構成したが、球タンクおよびタンクレールの何れか一方または両方を上枠部材と別体に形成して、上枠部材の本体の裏側に組付けるよう構成することも可能である。また、球タンクおよびタンクレールの形状・構成に関しては、実施例のものに限られず、任意に変更することができる。従って、実施例では球タンクの底面を右枠部材側から左枠部材側へ向けて下方傾斜させ、該球タンクの下流側にタンクレールを並設するよう構成したが、反対方向に傾斜するようにしてもよい。また、球タンクは、遊技球を貯留可能な形状・大きさに形成すればよく、タンクレールに関しては球タンクからの遊技球を一列状態で流下させ得るよう形成すれば、従来公知のタンクレールの構成を採用できる。
【００９９】
実施例では、遊技機としてパチンコ機を例示して説明したが、これに限られるものではなく、外郭をなす外枠に開閉可能に組付けられる中枠に遊技盤を保持した遊技機であれば、アレンジボール機等の従来公知の各種遊技機を採用し得る。
【図面の簡単な説明】
【０１００】
【図１】実施例に係るパチンコ機を示す正面図である。
【図２】実施例に係るパチンコ機を示す背面図である。
【図３】実施例に係るパチンコ機を背面側から見た状態を示す斜視図であって、右枠部材の施錠手段を省略して示す。
【図４】実施例に係る中枠の右枠部材を背面側から見た状態を示す斜視図である。
【図５】実施例に係る中枠を示す斜視図である。
【図６】実施例に係る中枠の上枠部材側を裏側から見た状態を示す斜視図である。
【図７】実施例に係る中枠の上枠部材を概略で示す平面図である。
【図８】図７におけるＢ−Ｂ線断面図である。
【図９】図２におけるＡ−Ａ線断面図である。
【図１０】実施例に係る球通路ユニットを、設置部から球払出装置を取外した状態で示す斜視図である。
【図１１】実施例に係る球通路ユニットを示す側面図である。
【図１２】実施例に係る球通路ユニットを示す背面図である。
【図１３】実施例に係る球通路ユニットの要部拡大図である。
【図１４】実施例に係る球通路ユニットを一部破断した状態で示す要部拡大図であって、カバー部材が開放した状態を示す。
【図１５】実施例に係る球通路ユニットを設置部で横断した断面図であって、ストッパ部材が球通過規制位置に変位した状態を示す。
【図１６】実施例に係る球通路ユニットを一部破断した状態で示す要部拡大図であって、カバー部材が閉成した状態を示す。
【図１７】実施例に係る球通路ユニットを設置部で横断した断面図であって、ストッパ部材が球通過許容位置に変位した状態を示す。
【図１８】実施例に係る球通路ユニットと機能部材との取付部位を拡大して示す斜視図である。
【図１９】実施例に係る球通路ユニットと上枠部材との取付部位を拡大して示す斜視図である。
【図２０】実施例に係るカバー部材をガイド孔で横断した状態を示す概略図であって、(a)は差込み口を開放する位置に遮蔽部材を移動した状態を示し、(b)は差込み口を閉成する位置に遮蔽部材を移動した状態を示す。
【図２１】実施例に係るパチンコ機の保護カバーを示す背面図である。
【図２２】実施例に係る中枠の右枠部材に枢支した保護カバーの枢支手段を拡大して示す斜視図である。
【符号の説明】
【０１０１】
１１  外枠，１２  中枠，１８  遊技盤，２０  図柄表示装置(遊技部品)
２１  上枠部材，２２  下枠部材，２３  左枠部材(左の側枠部材)
２４  右枠部材(右の側枠部材)，２４ａ  軸受部(枢支手段)，２４ｂ  軸孔(枢支手段)
２４ｃ  第１位置規制突片(開放制限手段)，２６  球タンク
２９ａ  係止筒部(固定手段)，３４  タンクレール，４４  第１球流通路(球流通路)
４５  第２球流通路(球流通路)，５０  球通路ユニット，５２ｂ  係止筒部(固定手段)
５５  設置部，５７  空間部，１０１  球払出装置，１１０  保護カバー
１１４ａ  第２位置規制突片(開放制限手段)，１１６  支軸(枢支手段)
１１９  固定具(固定手段)，１２０  第１位置決め片，１２１  第２位置決め片
【図１】
2007130264.tif 000003
【図２】
2007130264.tif 000004
【図３】
2007130264.tif 000005
【図４】
2007130264.tif 000006
【図５】
2007130264.tif 000007
【図６】
2007130264.tif 000008
【図７】
2007130264.tif 000009
【図８】
2007130264.tif 000010
【図９】
2007130264.tif 000011
【図１０】
2007130264.tif 000012
【図１１】
2007130264.tif 000013
【図１２】
2007130264.tif 000014
【図１３】
2007130264.tif 000015
【図１４】
2007130264.tif 000016
【図１５】
2007130264.tif 000017
【図１６】
2007130264.tif 000018
【図１７】
2007130264.tif 000019
【図１８】
2007130264.tif 000020
【図１９】
2007130264.tif 000021
【図２０】
2007130264.tif 000022
【図２１】
2007130264.tif 000023
【図２２】
2007130264.tif 000024